(57)【要約】筆記用組立体が提供される。筆記用組立体は、第１端部及び反対側の第２端部を有する筆記具と、第１端部及び第２端部を有するキャップとを含む。筆記具の第１端部からマーキング先が延在する。キャップ内にはレセプタクルが形成される。第１保管状態において筆記具の第１端部がキャップのレセプタクル内に配置され、第２使用状態において筆記具の第２端部がキャップのレセプタクル内に配置される。筆記用組立体はまた、消去組立体を含み、消去組立体は、キャリアとキャリアに取り付けられる消去材料とを含む。キャリアは、キャップの第２端部に取り付けられる。
2006524595.tif 000002
【特許請求の範囲】
【請求項１】
筆記用組立体であって、
第１端部と反対側の第２端部とを有し、かつ第１端部からマーキング先が延在する筆記具と、
レセプタクルが形成される第１端部と第２端部とを有するキャップであって、第１保管状態において筆記具の第１端部がキャップのレセプタクル内に配置され、かつ、第２使用状態において筆記具の第２端部がキャップのレセプタクル内に配置されるキャップと、
キャリアとキャリアに取り付けられる消去材料とを含み、かつキャリアがキャップの第２端部に取り付けられる消去組立体とを備えた筆記用組立体。
【請求項２】
前記キャップ及びキャリアそれぞれは、これらに形成された一組の軸方向に向く面の一方を有し、
消去組立体がキャップに取り付けられるとキャップの軸方向に向く面がキャリアの軸方向に向く面と隣接して、消去組立体とキャップの互いに対する移動を制限する請求項１に従う筆記用組立体。
【請求項３】
前記キャップは、リブが形成されたポストを有し、該リブがキャップに形成された前記軸方向に向く面を形成し、
キャリアは開口を規定する縁を有し、該縁がキャリアに形成された前記軸方向に向く面を形成し、
消去組立体がキャップに取り付けられると、ポストの少なくともリブが形成された部分がキャリアの開口を通って配置され、リブ及び縁が形成する軸方向に向く面が隣接して、消去組立体とキャップの互いに対する移動を制限する請求項２に従う筆記用組立体。
【請求項４】
前記キャップ及びキャリアの一方は、前記一組の軸方向に向く面の一方を形成する溝を有し、キャップ及びキャリアの他方は、前記一組の軸方向に向く面の他方を形成するリブを有し、
消去組立体がキャップに取り付けられるとリブが溝内に配置され、リブ及び溝が形成する軸方向に向く面が隣接して、消去組立体とキャップの互いに対する移動を制限する請求項２に従う筆記用組立体。
【請求項５】
前記キャップは、キャップの第２端部から延在するポストを有し、該ポストは、リブが形成される面を有し、
キャリアは、レセプタクルを規定する内側面を有する壁を備え、かつ該内側面に形成された溝を有し、
キャリアがキャップに取り付けられるとポストがレセプタクル内に配置され、かつリブが溝内に配置される請求項４に従う筆記用組立体。
【請求項６】
前記キャップは、キャップの第１端部から第２端部に向かって延在する環状壁であって、ある有効径と前記溝が形成される半径方向外側面とを有する環状壁を有し、
キャリアは、キャップの前記有効径よりも大きい有効径と、前記リブが形成された半径方向内側に向く面とを有する環状壁を有し、
キャリアがキャップに取り付けられると、キャップの環状壁がキャリアの環状壁内に配置され、かつキャリアのリブがキャップの溝内に配置される請求項４に従う筆記用組立体。
【請求項７】
前記キャップは、キャップの第２端部から延在するポストを備え、
キャリアは、キャリアに形成された開口を有し、キャリアがキャップの第２端部に取り付けられるとポストが開口を通って受け入れられる請求項１に従う筆記用組立体。
【請求項８】
前記ポストは、ポストの外側面に形成されたリブを有し、
キャリアは、開口を規定する縁を有し、
消去組立体がキャップの第２端部に取り付けられるとリブと縁は隣接して、消去組立体とキャップの互いに対する移動を制限する請求項７に従う筆記用組立体。
【請求項９】
前記キャリアは、中央ボスと中央ボスから半径方向外側に延在するフランジとを有する壁を備え、
前記ボスは、前記開口が規定する開放端部と、開放端部とは反対側の閉鎖端部とを有し、
キャリアは、前記開口の周りに形成された該開口を規定する縁を有し、
ポストのリブとキャリアの縁は隣接して、消去組立体とキャップの互いに対する移動を制限する請求項１に従う筆記用組立体。
【請求項１０】
前記キャリアは、第１側部と反対側の第２側部とを有し、前記開口はキャリアの第１側部に形成され、消去材料はキャリアの第２側部に配置される請求項１に従う筆記用組立体。
【請求項１１】
前記消去材料は、発砲体、フェルト、布及びスポンジからなる消去材料群から選択される請求項１に従う筆記用組立体。
【請求項１２】
前記筆記具はホワイトボードマーカーである請求項１に従う筆記用組立体。
【請求項１３】
筆記用組立体であって、
第１端部と反対側の第２端部とを有し、かつ第１端部からマーキング先が延在する筆記具と、
レセプタクルが形成される第１端部と第２端部とを有するキャップであって、第１保管状態において筆記具の第１端部がキャップのレセプタクル内に配置され、
かつ、第２使用状態において筆記具の第２端部がキャップのレセプタクル内に配置されるキャップと、
キャリアとキャリアに取り付けられる消去材料とを含み、かつキャリアがキャップの第２端部に取り付けられる消去組立体とを備え、
前記キャップ及びキャリアそれぞれは、これらに形成された一組の軸方向に向く面の一方を有し、消去組立体がキャップに取り付けられると、キャップの軸方向に向く面がキャリアの軸方向に向く面と隣接して、消去組立体とキャップの互いに対する移動を制限する筆記用組立体。
【請求項１４】
前記キャップは、リブが形成されたポストを有し、該リブがキャップに形成された前記軸方向に向く面を形成し、
キャリアは開口を規定する縁を有し、該縁がキャリアに形成された前記軸方向に向く面を形成し、
消去組立体がキャップに取り付けられると、ポストの少なくともリブが形成された部分がキャリアの開口を通って配置され、リブ及び縁が形成する軸方向に向く面が隣接して、消去組立体とキャップの互いに対する移動を制限する請求項１３に従う筆記用組立体。
【請求項１５】
前記キャップ及びキャリアの一方は、前記一組の軸方向に向く面の一方を形成する溝を有し、キャップ及びキャリアの他方は、前記一組の軸方向に向く面の他方を形成するリブを有し、
消去組立体がキャップに取り付けられるとリブが溝内に配置され、リブ及び溝が形成する軸方向に向く面が隣接して、消去組立体とキャップの互いに対する移動を制限する請求項１３に従う筆記用組立体。
【請求項１６】
前記キャップは、キャップの第２端部から延在するポストを有し、該ポストは、リブが形成される面を有し、
キャリアは、レセプタクルを規定する内側面を有する壁を備え、かつ該内側面に形成された溝を有し、
キャリアがキャップに取り付けられるとポストがレセプタクル内に配置され、かつリブが溝内に配置される請求項１５に従う筆記用組立体。
【請求項１７】
前記キャップは、キャップの第１端部から第２端部に向かって延在する環状壁であって、ある有効径と前記溝が形成される半径方向外側面とを有する環状壁を有し、
キャリアは、キャップの前記有効径よりも大きい有効径と、前記リブが形成された半径方向内側に向く面とを有する環状壁を有し、
キャリアがキャップに取り付けられると、キャップの環状壁がキャリアの環状壁内に配置され、かつキャリアのリブがキャップの溝内に配置される請求項１５に従う筆記用組立体。
【請求項１８】
筆記用組立体であって、
第１開放端部と反対側の第２閉鎖端部とを有し、かつ第１開放端部からマーキング先が延在するホワイトボードマーカーと、
レセプタクルが形成される第１端部と、そこからリブが形成されたポストが延在する第２端部とを有するキャップであって、第１保管状態においてホワイトボードマーカーの第１端部がキャップのレセプタクル内に配置され、かつ、第２使用状態においてホワイトボードマーカーの第２端部がキャップのレセプタクル内に配置されるキャップと、
キャリアとキャリアに取り付けられる消去材料とを含む消去組立体であって、キャリアが、縁が規定する中央開口と中央開口から半径方向外側に延在するフランジとを有する壁を備える消去組立体とを備え、
消去組立体がキャップに取り付けられると、キャップのポストがキャリアの中央開口を通って配置され、ポストのリブとキャリアの縁が隣接して、消去組立体とキャップの互いに対する移動を制限する筆記用組立体。
【請求項１９】
前記キャリアは、第１側部と反対側の第２側部とを有し、キャリアの第１側部はキャップに対面し、消去材料はキャリアの第２側部に配置される請求項１８に従う筆記用組立体。
【請求項２０】
前記消去材料は、発砲体、フェルト、布及びスポンジからなる消去材料群から選択される請求項１８に従う筆記用組立体。
【発明の詳細な説明】
【技術分野】
【０００１】
この開示は、筆記用組立体、特に消去組立体を有する筆記用組立体に向けられる。
【背景技術】
【０００２】
乾燥消去（dry erase）マーカーは、一時的流行でホワイトボードとも呼ばれる乾燥消去マーキングボード上にマークするために用いられ得る。すなわち、そのようなホワイトボードマーカーに用いられるインキは、マーキングボードの表面上で速やかに乾燥するように、かつ、フェルトのような材料からなる物体を用いて乾燥したインクを拭い落とすことにより、マーキングボードの表面から除去できるように開発され得る。上記物体は、煉瓦形態に形作られ得るため、外見が伝統的なチョーク黒板ふきに類似するかもしれない。
【０００３】
あるいは、上記材料は、ホワイトボードマーカーの一部に又はホワイトボード用のホルダーに取り付けられ得る。
【発明の開示】
【発明が解決しようとする課題】
【０００４】
しかしながら、使いやすいそのような方策は、消去材料（消すための材料／消し材）が、保管状態及び使用状態の一方のみでマーカーと共に使用されるように配置され得るという問題を提起し得る。更には、消去材料がホワイトボードインク、インク粉又は他の材料で飽和すると、消去材料の連続使用、廃棄及び／又は交換の問題を提起し得る。
【課題を解決するための手段】
【０００５】
本発明によれば筆記用組立体が提供される。筆記用組立体は、第１端部及び反対側の第２端部を有する筆記具と、第１端部及び第２端部を有するキャップとを含む。筆記具の第１端部からマーキング先が延在する。キャップ内にはレセプタクルが形成される。第１保管状態において筆記具の第１端部がキャップのレセプタクル内に配置され、第２使用状態において筆記具の第２端部がキャップのレセプタクル内に配置される。筆記用組立体はまた、消去組立体を含み、消去組立体は、キャリアとキャリアに取り付けられる消去材料とを含む。キャリアは、キャップの第２端部に取り付けられる。
【発明を実施するための最良の形態】
【０００６】
図１は、筆記具２２を含み得る筆記用組立体２０の一例を示す。この場合、筆記具２２は、ホワイトボードマーカーであり得る。筆記用組立体２０はまた、図１、２及び３に示すように筆記具２２の第１端部２６に配置されるか又は図４に示すように筆記具２２の第２端部２８に配置され得るキャップ２４を含み得る。筆記用組立体２０は、図１の分解図及び図２〜４の組立図に示す消去（イレーザ）組立体３０を更に含み得る。消去組立体３０は、図示のようにキャップ２４から着脱可能すなわち取り外し可能であり得るが、もう一つの選択肢として、消去組立体３０は、固定的にすなわち恒久的にキャップ２４に取り付けられ得る。
【０００７】
まず筆記具２２に着目して、図３及び４を参照すれば、筆記具２２は、本体３２と筆記先３４とを含み得ることが認識される。本体３２は、第１開放端部３６と第２閉鎖端部３８とを有し得る。筆記先３４は、本体３２の第１開放端部３６から延在し（ぶらさがり）得、また、本体３２内に配置されたリザーバ（インク筒）からホワイトボード（乾燥消去）インク（a dry-erase ink）のようなインクを伝達するための機構を提供するため、フェルト等の繊維性材料からなり得る。
【０００８】
筆記具２２の両端部３６、３８は、テーパー付け及び段付けされ得る。図４に最も良く示すように、第１端部３６は、肩部４２が形成する第１段領域４０と、肩部４６が形成する第２段領域４４とを有し得る。同様に、図３に最も良く示すように、第２端部３８は、肩部５０が形成する第１段領域４８と、肩部５４が形成する第２段領域５２とを有し得る。後に明らかとなる理由のため、第１段領域４０、４８及び第２段領域４４、５２は、形状及び曲率が同じであり得る。
【０００９】
キャップ２４は、第１端部６０及び第２端部６２を有し得る。壁６４は、第１端部６０から第２端部６２まで軸方向に延び得る。壁６４は、第１端部６０にリム（周縁）６６を有し得、リム６６は開口６８を形成し得る。壁６４、特に壁６４の内側面７０は、開口６８と連通する空間もしくはレセプタクル７２をそこに形成し得る。壁６４は、キャップ２４の第２端部６２で閉鎖され得る。
【００１０】
壁６４、特に壁６４の内側面７０には段が付けられ得る。図４に示すように、内側面７０は、肩部７６が形成する第１段領域７４と、肩部８０が形成する第２段領域とを有し得る。第１段領域７４は、本体３２の第１及び第２端部３６、３８の第１段領域４０、４８と相補形であり得、他方、第２段領域７８は、本体３２の第１及び第２端部３６、３８の第２領域４４、５２と相補形であり得る。
【００１１】
キャップ２４の壁６４はまた、ポスト８２を形成し得る。図示のように、ポスト８２は、レセプタクル７２のように、キャップ２４の第１端部６０から第２端部６２まで延び得る。ポスト８２は、その外側面８６上の、キャップ２４の第２端部６２の最も近くに形成された環状リブ８４（図１に最も良く示す）を有し得る。リブ８４は、軸方向に向く面８８を形成し得る。
【００１２】
キャップ２４はまた、壁９０を含み得る。壁９０は、第１端部６０から第２端部６２に向かって軸方向に延び得る。しかしながら、壁９０は、ポスト８２の半径方向外側に配置され得る。壁９０と、ポスト８２、特にポスト８２の外側面８６とは、それらの間に空間９２を形成し得る。ポスト８２と壁９０が同心配列であるため、これらの間に形成される空間９２は環状空間となり得る。図示のように、壁９０を補強する目的で、空間９２内には一又は複数のリブ９４が配置され得る。
【００１３】
壁９０は、外側リム９６を有し得る。この例では円筒形態が用いられているため、リム９６は円形リムとなり得る。図１、３及び４に示すように、ポスト８２は、壁９０のリム９６を越えて、キャップ２４の第２端部６２の方に軸方向に延び得る。特に、ポスト８２に配置されたリブ８４は、壁９０のリム９６を越えてキャップ２４の第２端部６２の方に軸方向に延在するポスト８２部分に配置され得る。
【００１４】
図１を参照して、消去組立体３０は、帽子形状のキャリア１００と、キャリア１００に取り付けられた半球状形態の消去材料（消し材）１０２とを含み得る。帽子形状キャリア１００は、中央ボス１０６を形成し得る壁１０４と、円形リム１１０で終端し得る半径方向外側に延びるフランジ１０８とを含み得る。図３及び４に最も良く示すように、中央ボス１０６を形成する壁１０４部分は、レセプタクル１１４を形成し得る面１１２を有し得る。例えば、発泡体、フェルト、布もしくはスポンジであり得る消去材料１０２は、面１１２とは反対側の壁１０４の面１１６に配置され得、また、例えば接着剤を用いて面１１６に固定され得る。
【００１５】
消去組立体３０は、以下の方法でキャップ２４の第２端部６２に選択的に取り付けられ得る。ポスト８２は、組立体３０のキャリア１００のレセプタクル１１４内に配置され得る。ポスト８２がレセプタクル１１４内へと前進させられるにつれ、ポスト８２の外側面８６に配置されたリブ８４は、レセプタクル１１４と連通する開口１２０を形成する縁１１８を越えて前進させられ得る。縁１１８はまた、軸方向に向く面１２２をも形成し得る。開口１２０は、リブ８４の半径方向外側部分よりも有効径が小さいかもしれないが、消去組立体３０がキャップ２４に取り付けられる際、ポスト８２の消去組立体３０に対する軸方向への移動が妨げられる程ではない。しかしながら、一旦リブ８４が縁１１８を越えて前進させられると、リブ８４と縁１１８は、キャップ２４と消去組立体３０間の相対的軸方向運動を制限するように協同し得る。特に、図３で最も良く分かるように、軸方向に向く面８８、１２２は、隣接してキャップ２４と消去組立体３０間の運動を制限し得る。このように、消去組立体３０は、キャップ２４に取り付けられ得る。しかし、リブ８４を強制的に縁１１８を越えさせる十分な力が消去組立体３０にかけられた場合、消去組立体３０は取り外され得る。消去組立体３０とキャップ２４がこのように固定されると、壁９０のリム９６は、キャリア１００のフランジ１０８のリム１１０と隣接し得る。
【００１６】
別の選択肢として、ポスト８２は、リブ８４を含まないかもしれない。その代わりに、ポスト８２の外側面８６は、開口１２０の有効径よりも大きい有効径の区域を有し得るが、消去組立体３０がキャップ２４に取り付けられる際、ポスト８２の消去組立体３０に対する軸方向への移動が妨げられる程ではない。そのため、外側面８６の上記区域は、キャップ２４と消去組立体３０間の相対的軸方向運動を制限するように協同するキャップ２４及び消去組立体３０の軸方向に向く面の一方を形成し得ることが認識される。
【００１７】
使用において、キャップ２４は、筆記具２２の第１端部２６又は第２端部２８に取り付けられ得る。
【００１８】
例えば、筆記具２２の第１端部２６にキャップ２４を取り付けると、筆記具２２は、肩部４２、７６及び４６、８０が隣接するまでキャップ２４の壁６４が形成するレセプタクル７２内へと軸方向に配置され得る。段領域４０、７４及び４４、７８は、筆記具２２の第１端部２６に対するキャップ２４の移動を制限する締まりばめを形成し得る。該締まりばめを強化するため、段領域４０、７４は、相補形態でテーパーが付けられ得る。この状態で、筆記先３４は、レセプタクル７２内に配置され、筆記先３４の乾燥が防止され得る。
【００１９】
同様に、キャップ２４は、肩部５０、７６及び５４、８０が隣接するまで筆記具２２の第２端部２８をレセプタクル７２内へと配置することにより、筆記具２２の第２端部２８に取り付けられ得る。段領域４８、７４及び５２、７８は、筆記具２２の第２端部２８に対するキャップ２４の移動を制限する締まりばめを形成し得る。更に、該締まりばめを強化するため、キャップ２４の内側面７０と協同するように、リブ１３０が筆記具２２の第２端部２８の外側面１３２に配置され得る。この状態で、筆記先３４は露出され、筆記先３４の使用を許容する。
【００２０】
保管状態又は使用状態のいずれにおいても、消去材料１０２は、乾燥消去マーキングボード（ホワイトボードとも呼ばれ得る）の表面等の面に付けられたインクの除去に使用するのに消去材料１０２が十分に露出されるような態様で配置され得る。更に、消去組立体３０がキャップ２４から着脱可能な性質であるため、例えば、消去材料１０２がインク又はインク粉で飽和した際、消去組立体３０は、キャップ２４から取り外され得、また、新しい消去組立体３０と交換され得る。
【００２１】
上記の筆記用組立体２０に対して多くの変更及び変形が企図され得ることが認識されるであろう。既述したものに加えて、更なる二つの例が図５及び６に与えられる。図５及び６の例において、図１〜４に示す筆記用組立体２０の例と共通する構成要素には同じ番号が付されるが、これら様々な例の構成要素を区別するため、ダッシュ又はダブルダッシュを用いる。
【００２２】
図５の例において、筆記用組立体２０’は、筆記具２２’とキャップ２４’とを含み得る。キャップ２４’は、次の点でキャップ２４と同様であり得る。すなわち、キャップ２４’が第１壁６４’と第２壁９０’とを有し得、第１壁６４’はレセプタクル７２’とポスト８２’を形成し得、第２壁９０’は、ポスト８２’との間に空間９２’を形成するようにポスト８２’から半径方向外側に配置され得る点である。第２壁９０’は、リム９６’を有し得、また、ポスト８２’は、第２壁９０’のリム９６’を越えて延び得、また、第２壁９０’のリム９６’を越えて軸方向に延び得るポスト８２’部分に形成された環状リブ８４’を有し得る。更に、リブ８４’は、軸方向に向く面８８’を形成し得る。
【００２３】
図５の例の消去組立体３０’は、キャリア１５０と、キャリア１５０に取り付けられた消去材料１０２’とを含み得る。キャリア１５０は、消去組立体３０’がキャップ２４’に取り付けられる際にキャップ２４’のポスト８２’がその中へ配置され得る円筒形態であり得る。この例において、キャリア１５０が溝１５２を含み、該溝１５２は、ポスト８２’のリブ８４’に対して相補形で、かつリブ８４’が配置されて消去組立体３０’とキャップ２４’の互いに対する移動を制限する点に留意すべきある。特に、溝１５２は、軸方向に向く面８８’と接して消去組立体３０’とキャップ２４’の互いに対する移動を制限する軸方向に向く面１５４を形成し得る。
【００２４】
図６の例において、図１〜４及び５の例と同様に、筆記用組立体２０”は、筆記具２２”とキャップ２４”とを含み得る。キャップ２４”は、次の点でキャップ２４と同様であり得る。すなわち、キャップ２４”が第１壁６４”と第２壁９０”とを有し得、第１壁６４”はレセプタクル７２”とポスト８２”を形成し得、また、第２壁９０”は、ポスト８２”との間に空間９２”を形成するようにポスト８２”から半径方向外側に配置され得る点である。更に、第２壁９０”は、リム９６”を有し得る。しかしながら、ポスト８２”は、第２壁９０”のリム９６”を越えて突出しないかもしれない。更には、ポスト８２”は、そこに形成される環状リブを有しないかもしれない。その代わり、環状溝１５８が第２壁９０”の外側面１６０に形成され得る。溝１５８は、軸方向に向く面１６２を形成し得る。
【００２５】
図６の例の消去組立体３０”は、キャリア１６４と、キャリア１６４の第１面１６６に取り付けられた消去材料１０２”とを含み得る。第１及び第２同心環状壁１６８、１７０は、キャリア１６４の第１面１６６とは反対側のキャリア１６４の第２面１７２から延在し得る。第１環状壁１６８の有効径及び中央配置は、ポスト８２”が第１環状壁１６８内に配置されると同時に消去組立体３０”がキャップ２４”に取り付けられるようにされ得る。キャリア１６４の最も半径方向外側の縁の周りの第２環状壁１７０の有効径及び配置は、キャップ２４”の第２壁９０”が第２環状壁１７０内に配置されると同時に消去組立体３０”がキャップ２４”に取り付けられるようにされ得る。更に、第２環状壁１７０は、第２環状壁１７０の半径方向内側に向く面１７６に形成されたリブ１７４を有し得、該リブ１７４は、キャップ２４”の第２壁９０”の環状溝１６０内に受け入れられて該溝と協同して、キャップ２４”に対する消去組立体３０”の軸方向移動を制限し得る。特に、リブ１７４は、軸方向に向く面１７８を形成し得、該面１７８は、軸方向に向く面１６２と接して、消去組立体３０”とキャップ２４”の互いに対する移動を制限する。
【００２６】
本発明の他の変更及び別の実施形態は、上記記載から当業者には明らかとなろう。この記載は、単なる実例であると解釈されるべきであり、本発明を実施するベストモードを当業者に教示する目的ものである。構造及び方法の細部は、本発明の精神を実質上逸脱することなく変更され得、また、付随する特許請求の範囲内に入るすべての変更の排他的使用が確保される。
【図面の簡単な説明】
【００２７】
【図１】筆記用組立体の第１例の一部分解図である。
【図２】組み立てられた図１の筆記用組立体の平面図である。
【図３】キャップが第１保管状態にある、図２の線３−３に沿った図２のペンの断面図である。
【図４】キャップが第２使用状態にある、図２の線３−３に沿った図２のペンの断面図である。
【図５】筆記用組立体の第２例の部分断面図である。
【図６】筆記用組立体の第３例の部分断面図である。
【符号の説明】
【００２８】
２０  筆記用組立体
２２  筆記具
２４  キャップ
３０  消去組立体
３４  筆記先
７２  レセプタクル
８２  ポスト
８４  環状リブ
１００  キャリア
１０２  消去材料
【図１】
2006524595.tif 000003
【図２】
2006524595.tif 000004
【図３】
2006524595.tif 000005
【図４】
2006524595.tif 000006
【図５】
2006524595.tif 000007
【図６】
2006524595.tif 000008
【国際調査報告】
2006524595.tif 000009
2006524595.tif 000010
2006524595.tif 000011